(57)【特許請求の範囲】
【請求項１】
電力管理エリアにおける複数の需要家施設について、少なくとも第１需要家施設グループと第２需要家施設グループとのうちのいずれかに属するように分類を行う需要家施設分類部と、
前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部とを有し、
前記需要家施設分類部は、
前記複数の需要家施設について、前記第１需要家施設グループと前記第２需要家施設グループと第３需要家施設グループとのうちのいずれか一つに属するように分類を行い、
前記電力制御部は、
前記第３需要家施設グループに属する需要家施設における電力設備について、前記第３需要家施設グループとしての順潮流と逆潮流との電力の差分が一定以下となるように制御を行う
電力管理装置。
【請求項２】
電力管理エリアにおける複数の需要家施設について、少なくとも第１需要家施設グループと第２需要家施設グループとのうちのいずれかに属するように分類を行う需要家施設分類部と、
前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部とを有し、
前記電力制御部は、
前記発電計画が達成されるようにするための前記第１需要家施設グループに属する需要家施設ごとの電力制御の制御目標値を決定し、
前記需要計画が達成されるようにするための前記第２需要家施設グループに属する需要家施設ごとの電力制御の制御目標値を決定し、
決定された制御目標値に従った電力制御が需要家施設のそれぞれにおいて行われるようにする
電力管理装置。
【請求項３】
前記需要家施設分類部は、
前記複数の需要家施設のうちで、発電電力の多いものとして分類される需要家施設を前記第１需要家施設グループに属させ、需要電力が多いものとして分類される需要家施設を前記第２需要家施設グループに属させる
請求項１または請求項２に記載の電力管理装置。
【請求項４】
前記需要家施設分類部は、
前記複数の需要家施設のうちで、発電電力と需要電力とが均衡しているものとして分類される需要家施設を前記第３需要家施設グループに属させる
請求項１に記載の電力管理装置。
【請求項５】
前記需要家施設分類部は、
前記複数の需要家施設のうちで、蓄電池の残量が多いものに分類される需要家施設を前記第１需要家施設グループに属させ、前記複数の需要家施設のうちで、蓄電池の残量が少ないものに分類される需要家施設を前記第２需要家施設グループに属させる
請求項１または請求項２に記載の電力管理装置。
【請求項６】
前記需要家施設分類部は、
前記複数の需要家施設のうちで、蓄電池の残量が多くも少なくもない中間の状態にあるものに分類される需要家施設を前記第３需要家施設グループに属させる
請求項１に記載の電力管理装置。
【請求項７】
前記需要家施設分類部は、
前記第１需要家施設グループに属する需要家施設と、前記第２需要家施設グループに属する需要家施設との少なくともいずれか一方について、さらに蓄電池の残量に応じて細分化したグループに分類する
請求項２または請求項３に記載の電力管理装置。
【請求項８】
前記需要家施設分類部は、
前記第３需要家施設グループに属する需要家施設について、さらに蓄電池の残量に応じて細分化したグループに分類する
請求項４に記載の電力管理装置。
【請求項９】
前記需要家施設分類部は、一定時間ごとに前記分類を行う
請求項１から請求項８のいずれか一項に記載の電力管理装置。
【請求項１０】
前記電力制御部は、
前記発電計画が達成されるように、前記第１需要家施設グループに属する需要家施設における蓄電池の充放電を制御し、前記需要計画が達成されるように前記第２需要家施設グループに属する需要家施設における蓄電池の充放電を制御する
請求項１から請求項９のいずれか一項に記載の電力管理装置。
【請求項１１】
前記電力制御部は、
前記第３需要家施設グループとしての順潮流と逆潮流との差分が一定以下となるように、前記第３需要家施設グループに属する需要家施設における蓄電池の充放電を制御する
請求項１、請求項４、請求項６、請求項８のいずれか一項に記載の電力管理装置。
【請求項１２】
電力管理エリアにおける複数の需要家施設について、少なくとも第１需要家施設グループと第２需要家施設グループとのうちのいずれかに属するように分類を行う需要家施設分類部と、
前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部と、を有し、
前記需要家施設分類部は、
第１需要家施設グループに割り当てられた発電計画の計画値に対して当該第１需要家施設グループの発電量の実績値が達していない場合における当該計画値と当該実績値との乖離、または、第２需要家施設グループに割り当てられた需要計画の計画値に対して当該第２需要家施設グループの需要量の実績値が達していない場合における当該計画値と当該実績値との乖離が生じた場合、当該乖離が生じているグループとは異なるグループに属するいずれかの需要家施設を前記乖離が生じているグループに属するように再分類する
電力管理装置。
【請求項１３】
前記需要家施設分類部は、
再分類を行なう場合、当該乖離が生じているグループとは異なるグループに属するいずれかの需要家施設のうち、当該グループに割り当てられた発電または電力需要の度合が小さい需要家施設から順に再分類をする
請求項１２に記載の電力管理装置。
【請求項１４】
前記需要家施設分類部は、
再分類を行なう場合、当該乖離が生じているグループとは異なるグループに属するいずれかの需要家施設のうち、当該需要家施設における蓄電池の能力と当該需要家施設の発電電力または需要電力との関係に応じた順に従って需要家施設を再分類する
請求項１２に記載の電力管理装置。
【請求項１５】
前記需要家施設分類部は、
前記複数の需要家施設について、前記第１需要家施設グループと、前記第２需要家施設グループと、順潮流と逆潮流との電力の差分が一定以下となるように前記電力制御部によって制御される対象である第３需要家施設グループとのうちのいずれか一つに属するように分類を行い、
再分類を行なう場合、前記第３需要家施設グループに属するいずれかの需要家施設を前記乖離の度合が所定の基準を超えた需要家施設と同じグループに属するように分類する
請求項１２から１４のうちいずれか一項に記載の電力管理装置。
【請求項１６】
電力管理エリアにおける複数の需要家施設について、少なくとも第１需要家施設グループと第２需要家施設グループとのうちのいずれかに属するように分類を行う需要家施設分類ステップと、
前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御ステップとを実行し、
前記需要家施設分類ステップは、
前記複数の需要家施設について、前記第１需要家施設グループと前記第２需要家施設グループと第３需要家施設グループとのうちのいずれか一つに属するように分類を行う、ことを含み、
前記電力制御ステップは、
前記第３需要家施設グループに属する需要家施設における電力設備について、前記第３需要家施設グループとしての順潮流と逆潮流との電力の差分が一定以下となるように制御を行う、ことを含む
電力管理方法。
【請求項１７】
コンピュータを、
請求項１または請求項２に記載の電力管理装置として機能させるためプログラム。
【請求項１８】
電力管理エリアにおける複数の需要家施設について、少なくとも第１需要家施設グループと第２需要家施設グループとのうちのいずれかに属するように分類を行う需要家施設分類ステップと、
前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御ステップとを有し、
前記電力制御ステップは、
前記発電計画が達成されるようにするための前記第１需要家施設グループに属する需要家施設ごとの電力制御の制御目標値を決定し、
前記需要計画が達成されるようにするための前記第２需要家施設グループに属する需要家施設ごとの電力制御の制御目標値を決定し、
決定された制御目標値に従った電力制御が需要家施設のそれぞれにおいて行われるようにする、ことを含む
電力管理方法。
【発明の詳細な説明】
【技術分野】
【０００１】
本発明は、電力管理装置、電力管理方法及びプログラムに関する。
【背景技術】
【０００２】
計画値同時同量制度のもとでは、電気事業者は、発電（逆潮流）や需要（順潮流）についての電力受給計画を一般送配電事業者に提出し、計画値に対して実績値が同時同量となるように要求される。この場合において、実績値が計画値に対して過不足となるインバランスが生じた場合には、一般送配電事業者側でインバランスに対する調整を行ったことに対する費用が発生し、電気事業者と一般送配電事業者との間でインバランスに対応する精算（インバランス精算）が行われる。
【０００３】
電気事業者としては、インバランス精算による支払いが発生しないように、電力調整を行う必要がある。そこで、以下のような電力管理装置が知られている。つまり、電力管理装置は、再生可能エネルギ発電設備から調達する電力値に第１価格係数を乗じた値、及び、他の発電設備から調達する電力値に第２価格係数を乗じた値の和の関数である調達関数と、再生可能エネルギ発電設備から調達する予め計画された電力値から、再生可能エネルギ発電設備から調達した実際の電力値を引いた差の電力値に第３価格係数を乗じた関数であるインバランス関数とに基づいて、再生可能エネルギ発電設備から調達する電力値の比率を求める（例えば、特許文献１参照）。
【先行技術文献】
【特許文献】
【０００４】
【特許文献１】特開２０１５−２３０５４４号公報
【発明の概要】
【発明が解決しようとする課題】
【０００５】
例えば、所定の電力管理エリアにおける複数の需要家施設について電力制御を行うようにされたＴＥＭＳ（Town Energy Management System）あるいはＣＥＭＳ（Community Energy Management System）などと呼ばれる電力管理システムが知られている。このような電力管理システムを例えば電気事業者が管理することで、電気事業者が電力管理エリア単位で計画値同時同量制度を一般送配電事業者と契約するようなケースが考えられる。この場合には、電力管理エリア全体に対応する電力受給計画が策定されることから、電力管理エリアにおいて計画値同時同量が実現できるようにすることが求められる。
しかしながら、特許文献１は、単一の太陽光発電設備を例に挙げて再生可能エネルギ発電設備から調達する電力値の比率を求める構成の記載にとどまっている。このため、特許文献１に記載の技術によっては、電力管理エリアにおける複数の需要家施設間での発電電力、需要電力のばらつきなどに対応して計画値同時同量に対応する調整を適切に行うことは困難である。
【０００６】
本発明は、このような事情に鑑みてなされたもので、複数の需要家施設が存在する電力管理エリアに対応して、計画値同時同量に対応する電力の調整を適切に行えるようにすることを目的とする。
【課題を解決するための手段】
【０００７】
上述した課題を解決するための本発明の一態様は、電力管理エリアにおける複数の需要家施設について、少なくとも第１需要家施設グループと第２需要家施設グループとのうちのいずれかに属するように分類を行う需要家施設分類部と、前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部とを有し、前記需要家施設分類部は、前記複数の需要家施設について、前記第１需要家施設グループと前記第２需要家施設グループと第３需要家施設グループとのうちのいずれか一つに属するように分類を行い、前記電力制御部は、前記第３需要家施設グループに属する需要家施設における電力設備について、前記第３需要家施設グループとしての順潮流と逆潮流との電力の差分が一定以下となるように制御を行う電力管理装置である。
また、上述した課題を解決するための本発明の一態様は、電力管理エリアにおける複数の需要家施設について、少なくとも第１需要家施設グループと第２需要家施設グループとのうちのいずれかに属するように分類を行う需要家施設分類部と、前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部とを有し、前記電力制御部は、前記発電計画が達成されるようにするための前記第１需要家施設グループに属する需要家施設ごとの電力制御の制御目標値を決定し、前記需要計画が達成されるようにするための前記第２需要家施設グループに属する需要家施設ごとの電力制御の制御目標値を決定し、決定された制御目標値に従った電力制御が需要家施設のそれぞれにおいて行われるようにする電力管理装置である。
また、上述した課題を解決するための本発明の一態様は、電力管理エリアにおける複数の需要家施設について、少なくとも第１需要家施設グループと第２需要家施設グループとのうちのいずれかに属するように分類を行う需要家施設分類部と、前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御部と、を有し、前記需要家施設分類部は、第１需要家施設グループに割り当てられた発電計画の計画値に対して当該第１需要家施設グループの発電量の実績値が達していない場合における当該計画値と当該実績値との乖離、または、第２需要家施設グループに割り当てられた需要計画の計画値に対して当該第２需要家施設グループの需要量の実績値が達していない場合における当該計画値と当該実績値との乖離が生じた場合、当該乖離が生じているグループとは異なるグループに属するいずれかの需要家施設を前記乖離が生じているグループに属するように再分類する電力管理装置である。
【０００８】
本発明の一態様は、電力管理エリアにおける複数の需要家施設について、少なくとも第１需要家施設グループと第２需要家施設グループとのうちのいずれかに属するように分類を行う需要家施設分類ステップと、前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御ステップとを実行し、前記需要家施設分類ステップは、前記複数の需要家施設について、前記第１需要家施設グループと前記第２需要家施設グループと第３需要家施設グループとのうちのいずれか一つに属するように分類を行う、ことを含み、前記電力制御ステップは、前記第３需要家施設グループに属する需要家施設における電力設備について、前記第３需要家施設グループとしての順潮流と逆潮流との電力の差分が一定以下となるように制御を行う、ことを含む電力管理方法である。
【０００９】
本発明の一態様は、コンピュータを、上述の電力管理装置として機能させるためのプログラムである。
また、本発明の一態様は、電力管理エリアにおける複数の需要家施設について、少なくとも第１需要家施設グループと第２需要家施設グループとのうちのいずれかに属するように分類を行う需要家施設分類ステップと、前記電力管理エリアに対応して策定された発電計画が達成されるように前記第１需要家施設グループに属する需要家施設における電力設備の制御を行い、前記電力管理エリアに対応して策定された需要計画が達成されるように前記第２需要家施設グループに属する需要家施設における電力設備の制御を行う電力制御ステップとを有し、前記電力制御ステップは、前記発電計画が達成されるようにするための前記第１需要家施設グループに属する需要家施設ごとの電力制御の制御目標値を決定し、前記需要計画が達成されるようにするための前記第２需要家施設グループに属する需要家施設ごとの電力制御の制御目標値を決定し、決定された制御目標値に従った電力制御が需要家施設のそれぞれにおいて行われるようにする電力管理方法である。
【発明の効果】
【００１０】
以上説明したように、本発明によれば、複数の需要家施設が存在する電力管理エリアに対応して、計画値同時同量に対応する電力の調整を適切に行えるようになるという効果が得られる。
【図面の簡単な説明】
【００１１】
【図１】第１実施形態における電力管理システムの構成例を示す図である。
【図２】第１実施形態における需要家施設についての電気設備の構成例を示す図である。
【図３】第１実施形態における需要家施設内コントローラの構成例を示す図である。
【図４】第１実施形態における電力管理装置の構成例を示す図である。
【図５】第１実施形態における電力管理装置が計画値同時同量制御に関連して実行する処理手順例を示すフローチャートである。
【図６】第１実施形態における電力管理装置が実行する需要家施設分類処理の一例を示すフローチャートである。
【図７】第２実施形態における電力管理装置が発電計画対応グループ内需要家施設電力制御として実行する処理手順例を示すフローチャートである。
【図８】第２実施形態における電力管理装置が需要計画対応グループ内需要家施設電力制御として実行する処理手順例を示すフローチャートである。
【図９】第３実施形態における電力管理装置が実行する需要家施設分類処理の一例を示すフローチャートである。
【図１０】第４実施形態におけるグループ設定の態様例を示す図である。
【図１１】第５実施形態における電力管理装置の処理手順例について説明するフローチャートである。
【図１２】第５実施形態における電力管理装置の処理手順例について説明するフローチャートである。
【発明を実施するための形態】
【００１２】
＜第１実施形態＞
図１は、本実施形態における電力管理システムの全体構成例を示している。本実施形態における電力管理システムは、例えば、所定の地域範囲における複数の需要家施設に対応する住宅、商業施設、産業施設などの需要家施設における電力を一括して管理するものである。このような電力管理システムは、例えばＴＥＭＳ（Town Energy Management System）やＣＥＭＳ（Community Energy Management System）などに対応する。
【００１３】
本実施形態の電力管理システムは、図１において電力管理エリア１０として示す一定範囲の地域における需要家施設１００ごとの電気設備を対象として電力管理を行う。需要家施設１００は、例えば、住宅、商業施設、あるいは産業施設などに該当する。
なお、本実施形態の電力管理エリア１０が対応する地域は、１つの地域範囲により形成されてもよいし、地理的に離散している複数の地域範囲により形成されてもよい。
【００１４】
本実施形態において、需要家施設１００は、太陽電池により発電を行う発電装置と、蓄電池とを備える。また、需要家施設１００には、太陽電池と蓄電池とのいずれか一方を備えるものがあってよい。また、需要家施設１００には、太陽電池と蓄電池とのいずれも備えないものがあってよい。
需要家施設１００が備える発電装置や蓄電池は、商用電源と系統連系されている。これにより、発電装置または蓄電池を備える需要家施設１００は、発電装置が発電して出力する電力または蓄電池が放電により出力する電力を商用電源の電力系統（配電網）に逆潮流させて、電力系統を通して売電することができる。
【００１５】
本実施形態の電力管理エリア１０は、例えば一般送配電事業者と計画値同時同量制度に対応した契約を結んでいる。つまり、電力管理エリア１０の運用者は、電力管理エリア１０としての電力受給計画を所定の単位計画時間（例えば、３０分）ごとに策定し、策定された電力受給計画を一般送配電事業者に提出する。そのうえで、電力管理エリア１０における電力受給の実績が電力受給計画に対して過不足（インバランス）を生じた場合には、電気事業者と一般送配電事業者との間でインバランスに対応する精算（インバランス精算）が行われる。
【００１６】
本実施形態における電力受給計画は、発電計画と需要計画とを含む。発電計画は、配電網に逆潮流させる電力についての電力管理エリア１０全体としての計画値である。需要計画は、配電網から順潮流で購入する電力についての電力管理エリア１０全体としての計画値である。
本実施形態が対応する計画値同時同量制度のもとでは、発電計画と需要計画とのそれぞれについて実績が計画通りに達成されることが求められる。つまり、本実施形態が対応する計画値同時同量制度では、電力管理エリア１０から逆潮流される電力の実績が発電計画に対して過不足のないことが求められるとともに、電力管理エリア１０として順潮流を受ける電力の実績が需要計画に対して過不足のないことが求められる。
本実施形態において、発電電力とは配電網に逆潮流させる電力をいう。また、需要電力とは配電網から順潮流させる電力をいう。
【００１７】
そのうえで、本実施形態の電力管理エリア１０における需要家施設１００は、発電計画対応グループＧＰ１、需要計画対応グループＧＰ２、及び中間グループＧＰ３の３つのグループのうちのいずれかに属するように分類される。このようなグループの分類は、電力管理装置３００によって行われる。
発電計画対応グループＧＰ１は、発電計画を達成するように制御される需要家施設１００の集合である。
需要計画対応グループＧＰ２は、需要計画を達成するように制御される需要家施設１００の集合である。
中間グループＧＰ３は、逆潮流と順潮流との電力差分が一定以下となるように、即ち、発電電力と需要電力とが同等となるように制御される需要家施設１００の集合である。
【００１８】
なお、前述のように、需要家施設１００には、発電装置と蓄電池とを備えるものと、太陽電池と蓄電池とのいずれか一方を備えるものと、太陽電池と蓄電池とのいずれも備えないものとがある。これらのうち、太陽電池と蓄電池とのいずれも備えない需要家施設１００については、需要計画対応グループＧＰ２に含めるようにしてよい。太陽電池と蓄電池とのいずれも備えない需要家施設１００については、蓄電池の充放電動作による調整ができない。そこで、太陽電池と蓄電池とのいずれも備えない需要家施設１００によって生じる需給計画に対する過不足については、需要計画対応グループＧＰ２において蓄電池を備える他の需要家施設１００により補償できるようにすればよい。
【００１９】
本実施形態において、発電計画対応グループＧＰ１に属する需要家施設１００は、発電電力の多いものとして分類された需要家施設１００である。また、需要計画対応グループＧＰ２に属する需要家施設１００は、発電電力の少ないものとして分類された需要家施設１００である。また、中間グループＧＰ３に属する需要家施設１００は、発電電力と需要電力とが均衡しているものとして分類された需要家施設１００である。
【００２０】
需要家施設１００は、それぞれネットワークＮＷと接続されることで、電力管理装置３００と通信を行うことができる。
【００２１】
電力管理装置３００は、電力管理エリア１０に属する需要家施設１００全体における電気設備を対象として電力制御を実行する。このために、同図の電力管理装置３００は、ネットワークＮＷを介して需要家施設１００の各々と相互に通信が可能なように接続される。これにより、電力管理装置３００は、需要家施設１００が備える電気設備の運転を制御することができる。
【００２２】
図２は、需要家施設１００における電気設備の一構成例を示している。同図の需要家施設１００は、電力メータ１０１、分電盤１０２、発電装置１０３、蓄電池１０４、負荷１０５、通信モデム１０６及び需要家施設内コントローラ２００を備える。即ち、同図は、発電装置と蓄電池とのいずれも備える需要家施設１００の例を示している。
【００２３】
電力メータ１０１は、需要電力と発電電力とを測定する。即ち、電力メータ１０１は、受給電力を測定する。受給電力は、例えば需要電力と発電電力との差分である。
需要家施設１００において、一般送配電事業者側の商用電源ラインＤＬから分電盤１０２に供給される電力が需要電力である。一方、発電装置１０３や蓄電池１０４から出力され、分電盤１０２から当該電力メータを経由して商用電源ラインＤＬに供給される電力が発電電力である。需要電力に対応する順潮流を正方向とした場合、順潮流に対応する需要電力に対して逆潮量に対応する発電電力が小さければ、受給電力は正の値として測定され、需要電力に対して発電電力が大きければ受給電力は負の値として測定される。
【００２４】
分電盤１０２は、商用電源から供給された電力を、蓄電池１０４や負荷１０５などに分配して供給する。また、分電盤１０２は、発電装置１０３から出力される電力を逆潮流のために電力メータ１０１経由で商用電源ラインＤＬに出力させることができる。
【００２５】
発電装置１０３は、太陽光を受けて発電を行う設備である。発電装置１０３は、太陽電池とＰＣＳ（Power Conditioning System）とを備える。発電装置１０３は、太陽光を受けて発電し、発電により得られた電力をＰＣＳにより交流に変換して出力する。
【００２６】
発電装置１０３にて発電された電力は、負荷１０５の電源として供給することができる。また、発電装置１０３にて発電された電力は、蓄電池１０４に充電することができる。
また、発電装置１０３にて発電された電力は、分電盤１０２から電力メータ１０１を経由して商用電源ラインＤＬに出力することで逆潮流させることができる。
【００２７】
蓄電池１０４は、充電のために入力される電力を蓄積し、また、蓄積した電力を放電して出力する設備である。蓄電池１０４は、例えば蓄電池とインバータを備える。蓄電池は電力の蓄積（充電）と蓄積された電力の出力（放電）を行う。インバータは、蓄電池に充電するための電力を交流から直流に変換し、蓄電池から放電により出力される電力を直流から交流に変換する。つまり、インバータは、蓄電池１０４が入出力する電力の双方向変換を行う。
【００２８】
蓄電池１０４は、分電盤１０２を介して供給される商用電源の電力を入力して充電することができる。また、蓄電池１０４は、発電装置１０３により発電された電力を入力して充電することができる。
また、蓄電池１０４は、蓄積された電力を負荷１０５の電源として供給することができる。また、蓄電池１０４は、蓄積された電力を分電盤１０２から電力メータ１０１を経由して商用電源ラインＤＬに出力することで逆潮流させることができる。
【００２９】
負荷１０５は、需要家施設１００において自己の動作のために電力を消費する所定の機器や設備などを一括して示したものである。なお、各需要家施設１００が備える負荷としての機器や設備などの種類及び数などはそれぞれ異なっていて構わない。
負荷１０５は、分電盤１０２から供給される商用電源を入力して動作することができる。また、負荷１０５は、発電装置１０３により発電された電力を入力して動作することができる。また、負荷１０５は、蓄電池１０４から出力された電力を入力して動作することができる。
【００３０】
通信モデム１０６は、ネットワークＮＷ経由で電力管理装置３００と通信を行う。
【００３１】
需要家施設内コントローラ２００は、需要家施設１００における電気設備（発電装置１０３、蓄電池１０４、負荷１０５及び通信モデム１０６など）を制御する。
また、需要家施設内コントローラ２００は、電力メータ１０１にて測定される消費電力の情報を入力し、入力された消費電力の情報を各種制御に利用することができる。
【００３２】
図３は、需要家施設１００において備えられる需要家施設内コントローラ２００の構成例を示している。同図の需要家施設内コントローラ２００は、外部通信インターフェース２０１、外部対応送受信部２０２、施設内通信インターフェース２０３、施設内対応送受信部２０４、電力収集部２０５、制御部２０６及び記憶部２０７を備える。
【００３３】
外部通信インターフェース２０１は、例えば通信モデム１０６を介してネットワークＮＷ経由で通信を行う。
外部対応送受信部２０２は、外部通信インターフェース２０１を利用してネットワークＮＷによるデータの送受信を制御する。
【００３４】
施設内通信インターフェース２０３は、自己が備えられる需要家施設１００における電気設備などと通信を行う。
施設内対応送受信部２０４は、施設内通信インターフェース２０３経由で需要家施設１００における電気設備との間でのデータの送受信を制御する。
【００３５】
電力収集部２０５は、需要家施設における電力関連の情報を収集する。例えば電力収集部２０５は、電力メータ１０１にて測定された受給電力の情報を収集することができる。また、電力収集部２０５は、発電装置が発電する電力、蓄電池１０４の残量（蓄積電力）や充放電電力、負荷１０５等による負荷電力（消費電力）などを収集してよい。
【００３６】
制御部２０６は、需要家施設内コントローラ２００としての機能に対応する各種の制御を実行する。制御部２０６は、電力収集部２０５により収集された発電電力と需要電力との情報を、電力管理装置３００に送信する。
【００３７】
なお、電力メータ１０１は、例えばスマートメータとして、ネットワークＮＷを経由した通信線ＮＬ経由で、測定した受給電力の情報を電力管理装置３００に送信できるようにしてもよい。この場合、電力収集部２０５が電力メータ１０１により測定された受給電力を収集する必要はない。
記憶部２０７は、制御部２０６が利用する各種の情報が記憶される。
【００３８】
図４は、電力管理装置３００の構成例を示している。同図の電力管理装置３００は、通信部３０１、制御部３０２、及び記憶部３０３を備える。
【００３９】
通信部３０１は、ネットワークＮＷ経由で需要家施設１００内の需要家施設内コントローラ２００と通信を行う。
【００４０】
制御部３０２は、電力管理エリア１０内における各需要家施設１００の電気設備の運転を制御する。本実施形態の制御部３０２は、需要家施設分類部３２１と電力制御部３２２とを備える。
需要家施設分類部３２１は、電力管理エリア１０における複数の需要家施設について、発電計画対応グループＧＰ１（第１需要家施設グループの一例）と需要計画対応グループＧＰ２（第２需要家施設グループの一例）と中間グループＧＰ３（第３需要家施設グループの一例）とのうちのいずれか一つに属するように分類を行う。
また、需要家施設分類部３２１は、一定時間ごとにグループの分類を行う。具体的に、需要家施設分類部３２１は、単位計画時間（例えば３０分）ごとにグループの分類を行う。
【００４１】
電力制御部３２２は、電力管理エリア１０に対応して策定された発電計画が達成されるように発電計画対応グループＧＰ１に属する需要家施設１００における電力設備の制御を行う。
また、電力制御部３２２は、電力管理エリア１０に対応して策定された需要計画が達成されるように需要計画対応グループＧＰ２に属する需要家施設１００における電力設備の制御を行う。
また、電力制御部３２２は、中間グループに属する需要家施設１００における電力設備について、中間グループとしての順潮流と逆潮流との電力の差分が一定以下となるように制御を行う。
【００４２】
記憶部３０３は、電力管理にあたって制御部３０２が利用する情報を記憶する。本実施形態の記憶部３０３は、発電計画情報３３１、需要計画情報３３２、需要家施設基本情報３３３、及び需要家施設分類情報３３４とを記憶する。
【００４３】
発電計画情報３３１は、策定された発電計画による発電電力を示す情報である。需要計画情報３３２は、策定された需要計画による需要電力を示す情報である。
【００４４】
需要家施設基本情報３３３は、電力管理エリア１０における需要家施設１００ごとについての基本的な情報を含む。１つの需要家施設１００に対応する需要家施設基本情報には、対応の需要家施設１００を一意に示す需要家施設ＩＤ、対応の需要家施設１００において備えられる電力設備、対応の需要家施設１００が備える需要家施設内コントローラ２００のアドレスなどの情報が含まれる。
需要家施設分類情報３３４は、需要家施設分類部３２１により、発電計画対応グループＧＰ１、需要計画対応グループＧＰ２、及び中間グループＧＰ３のうちのいずれのグループに分類されたのかを、需要家施設１００ごとに示す情報である。具体的に、需要家施設分類情報３３４は、例えば需要家施設ＩＤごとに、分類されたグループを示すグループＩＤが対応付けられた情報である。
【００４５】
上記構成による本実施形態の電力管理装置３００は、電力管理エリア１０に対応して策定された発電計画と需要計画とのいずれもが達成されるようにするための制御（計画値同時同量制御）を実行する。図５、図６のフローチャートを参照して、本実施形態の電力管理装置３００が計画値同時同量制御に関連して実行する処理手順例について説明する。
【００４６】
図５において、需要家施設分類部３２１は、調整開始時刻に至るのを待機する（ステップＳ１０１−ＮＯ）。本実施形態が対応する計画値同時同量制度のもとでは、例えば３０分の単位計画時間ごとに発電電力と需要電力とを集計し、集計した結果に基づいて単位計画時間ごとの発電計画と需要計画とを策定する。調整開始時刻は、単位計画時間が開始されるタイミングに対応する。
調整開始時刻に至ると（ステップＳ１０１−ＹＥＳ）、需要家施設分類部３２１は、需要家施設分類処理を実行する（ステップＳ１０２）。
【００４７】
図６のフローチャートは、ステップＳ１０２としての需要家施設分類処理の一例を示している。需要家施設分類部３２１は、電力管理エリア１０における需要家施設１００ごとの受給電力を取得する（ステップＳ２０１）。
この際、需要家施設分類部３２１は、需要家施設１００ごとの需要家施設内コントローラ２００に対して受給電力要求を送信する。需要家施設内コントローラ２００は、受給電力要求の受信に応じて、電力収集部２０５が電力メータ１０１から入力した受給電力の情報を電力管理装置３００に送信する。需要家施設分類部３２１は、このようにして各需要家施設１００の需要家施設内コントローラ２００から送信された受給電力の情報を取得する。
【００４８】
前述のように、需要電力に対応する順潮流を正方向とした場合、需要電力に対して発電電力が小さければ、受給電力は正の値を示し、需要電力に対して発電電力が大きければ、受給電力は負の値を示す。即ち、この場合には、受給電力の値が正となって大きいほど需要電力が多く、受給電力の値が負となって小さいほど発電電力が多いことになる。
そこで、需要家施設分類部３２１は、受給電力に基づいて、以下の分類処理を実行する（ステップＳ２０２）。つまり、需要家施設分類部３２１は、電力管理エリア１０における需要家施設１００について、発電電力が需要電力に対して多いとされるものと、需要電力が発電電力に対して多いとされるものと、発電電力と需要電力とが均衡しているもの（即ち、受給電力の絶対値が一定以下であるもの）との３種類のうちのいずれか１つに該当させるように分類する。需要家施設分類部３２１は、発電電力が需要電力に対して多いものとして分類された需要家施設１００を発電計画対応グループＧＰ１に属させる。また、需要家施設分類部３２１は、需要電力が発電電力に対して多いものとして分類された需要家施設１００を需要計画対応グループＧＰ２に属させる。また、需要家施設分類部３２１は、発電電力と需要電力とが均衡しているものとして分類された需要家施設１００を中間グループＧＰ３に属させる。
需要家施設分類部３２１が上記のように３つのグループのいずれか１つに需要家施設１００を分類するためのアルゴリズムとしては特に限定されない。例えば、需要家施設分類部３２１は、３つのグループごとに対応して設定された受給電力の閾値により分類してよい。あるいは、需要家施設分類部３２１は、機械学習を用いた分類のアルゴリズムにより分類を行ってもよい。
【００４９】
なお、１つの目安として、直前の単位計画時間における需要電力の実績の平均と発電電力の実績の平均との差分の絶対値（受給電力の絶対値に相当）がＰＣＳの定格の２／３程度以下、もしくは１／２程度以下の需要家施設１００を中間グループＧＰ３に属するものとして分類することができる。あるいは、直前の単位計画時間における需要電力の実績と発電電力の実績との差分の絶対値のうちの最大値が、ＰＣＳの定格以下もしくは２／３程度以下の需要家施設１００を中間グループＧＰ３に属するものとして分類することができる。
【００５０】
需要家施設分類部３２１は、ステップＳ２０２の分類処理により得られた分類結果を、需要家施設分類情報３３４を更新するようにして記憶させる（ステップＳ２０３）。
【００５１】
説明を図５に戻す。ステップＳ１０２による需要家施設分類処理の後、電力制御部３２２は、発電計画対応グループ対象電力制御（ステップＳ１０３）、需要計画対応グループ対象電力制御（ステップＳ１０４）、及び中間グループ対象電力制御（ステップＳ１０５）をそれぞれ実行する。
【００５２】
ステップＳ１０３の発電計画対応グループ対象電力制御として、電力制御部３２２は、例えば現単位計画時間に対応して策定された発電計画が達成されるように制御する。このために、電力制御部３２２は、発電計画対応グループＧＰ１に属する需要家施設１００から一定時間（例えば、数分）ごとに受給電力の情報を取得する。電力制御部３２２は、取得された受給電力に基づいて求められる発電電力の値（実発電電力値）と、発電計画において示される発電電力の値（計画発電電力値）との差分（受給差分）を算出する。電力制御部３２２は、算出された受給差分が解消されるように、発電計画対応グループＧＰ１に属する需要家施設１００における蓄電池１０４の充放電動作を制御する。
つまり、電力制御部３２２は、算出された受給差分に関して実発電電力値が計画発電電力値より大きくなる傾向の場合には、発電計画対応グループＧＰ１の全てまたは一部の需要家施設１００において蓄電池１０４に発電装置１０３により発電される電力を充電させる。これにより、実発電電力値が抑制され計画発電電力値と同等とすることができる。
一方、電力制御部３２２は、算出された受給差分に関して実発電電力値が計画発電電力値より小さくなる傾向の場合には、発電計画対応グループＧＰ１の全てまたは一部の需要家施設１００において蓄電池１０４に放電を実行させ、発電電力を増加させる。これにより、実発電電力値を増加させて計画発電電力値と同等とすることができる。
なお、電力制御部３２２は、上記のように蓄電池１０４の充放電動作を制御するにあたり、需要家施設１００における需要家施設内コントローラ２００に指示を行って、蓄電池１０４の充放電動作を制御させる。
【００５３】
また、ステップＳ１０４の需要計画対応グループ対象電力制御として、電力制御部３２２は、例えば現単位計画時間に対応して策定された需要計画が達成されるように制御する。このために、電力制御部３２２は、需要計画対応グループＧＰ２に属する需要家施設１００から一定時間（例えば、数分）ごとに受給電力の情報を取得する。電力制御部３２２は、取得された受給電力に基づいて求められる需要電力の値（実需要電力値）と、需要計画において示される需要電力の値（計画需要電力値）との差分（受給差分）を算出する。
電力制御部３２２は、算出された受給差分が解消されるように、需要計画対応グループＧＰ２に属する需要家施設１００における蓄電池１０４の充放電動作を制御する。
つまり、電力制御部３２２は、算出された受給差分に関して実需要電力値が計画需要電力値より大きくなる傾向の場合には、需要計画対応グループＧＰ２の全てまたは一部の需要家施設１００において蓄電池１０４に充電を行わせない、あるいは放電させる。これにより、蓄電池１０４への充電電力が減少し、実需要電力値が抑制されることになり、計画需要電力値と同等とすることができる。
一方、電力制御部３２２は、算出された受給差分に関して実需要電力値が計画需要電力値より小さくなる傾向の場合には、需要計画対応グループＧＰ２の全てまたは一部の需要家施設１００において蓄電池１０４に充電を実行させ、需要電力を増加させる。これにより、実需要電力値を増加させて計画需要電力値と同等とすることができる。
【００５４】
また、ステップＳ１０５の中間グループ対象電力制御として、電力制御部３２２は、中間グループ全体として受給電力の絶対値が一定以下となるように制御する。具体的に、本実施形態においては、受給電力について制御目標値となるように制御が行われればよい。
以下の説明において、受給電力についての制御目標値はゼロである場合を例に挙げる。
このための制御の具体例として、例えば電力制御部３２２は、中間グループＧＰ３に属する各需要家施設１００から一定時間（例えば、数分）ごとに受給電力の情報を取得する。電力制御部３２２は、中間グループＧＰ３に属する各需要家施設１００ごとに、取得された受給電力の絶対値がゼロとなるように、蓄電池１０４の充放電動作を制御する。
つまり、発電電力に対して需要電力のほうが大きくなる傾向の場合には、蓄電池１０４に充電を行わせない、あるいは放電させる。これにより、蓄電池１０４への充電電力が減少し、需要電力が抑制されることになり、受給電力をゼロに近付けることができる。
一方、需要電力に対して発電電力のほうが大きくなる傾向の場合には、算出された受給差分に関して実需要電力値が計画需要電力値より小さくなる傾向の場合には、蓄電池１０４に充電を実行させ、需要電力を増加させる。これにより、発電電力に対して需要電力を増加させて受給電力をゼロに近付けることができる。
このような制御は、電力制御部３２２が、需要家施設１００の需要家施設内コントローラ２００に指示を行って、需要家施設内コントローラ２００に蓄電池１０４の充放電動作を実行させることで実現される。
なお、発電電力と需要電力との差が大きくなるような状態となったことに応じて、受給電力の制御目標値について、平常時の値に対してオフセットを与えた値としてもよい。つまり、一具体例として、平常時の制御目標値が０ｋｗであるとして、需要電力のほうが発電電力に対して大きくなってしまうような場合には、発電電力に応じたオフセット値を与え、例えば０．５ｋＷの発電電力を制御目標値とするというように制御することで、受給電力をゼロに近付けやすくなるようにしてよい。また、このようにオフセット値を与える場合には、オフセットさせた側から反転しないように効率的に動作させるため、０ｋｗから発電電力のオフセット値となるよう、蓄電池１０４のＰＣＳについて最大定格で断続的に動作させてもよい。
【００５５】
これらのステップＳ１０３、Ｓ１０４、Ｓ１０５としての電力制御が実行されているとき、電力制御部３２２は、ステップＳ１０１に対応して開始された単位計画時間が終了したか否かについて判定する（ステップＳ１０６）。電力制御部３２２は、単位計画時間が終了していないうちは（ステップＳ１０６−ＮＯ）、ステップＳ１０３、Ｓ１０４、Ｓ１０５の電力制御を継続する。
そして、単位計画時間が終了すると（ステップＳ１０６−ＹＥＳ）、同図に示す処理が終了される。
【００５６】
このようにして、本実施形態においては、単位計画時間ごとに各需要家施設１００における電力状態に応じてグループの分類が更新されたうえで、グループごとに対応した電力制御が行われる。これにより、本実施形態の電力管理エリア１０において計画値同時同量に対応する制御実現され、策定された発電計画と需要計画とを達成させることができる。
【００５７】
ここで、本実施形態の同時同量制御は、例えば電力管理エリア１０における需要家施設１００を、発電計画対応グループＧＰ１と需要計画対応グループＧＰ２との２つのグループに分類することによっても可能である。
しかしながら、特に需要家施設１００が一般家庭のような低圧のものである場合、天候や時間帯による発電装置１０３の出力の変動の影響は大きく、需要家施設１００にて消費される電力も、各種の家電製品（エアコンディショナ、調理器具、ドライヤーなど）の動作状態で大きく変動する。
さらに、１つの需要家施設１００において、発電装置１０３から出力される電力と総消費電力とが近い状態にある場合、例えば３０分の単位計画時間において、或る数分間では発電装置１０３から出力される電力が総消費電力より大きいため、逆潮流を行うが、次の数分間は発電装置１０３から出力される電力よりも総消費電力のほうが多くなり、順潮流により電力を購入するというような状況が生じやすい。しかも、逆潮流となった状態での発電電力と順潮流となった状態での需要電力との差も小さい。
このような状況では、蓄電池１０４の充放電動作を制御して、発電計画対応グループＧＰ１あるいは需要計画対応グループＧＰ２に対応させた電力制御を全体の状況に合わせて行うことが難しい場合がある。例えば、計画値に対する微少な誤差に対応させて２ｋＷの発電電力となるように制御した結果、実績が需要１ｋＷになってしまうようなことが起こりやすくなる。このような状態となった場合には、例えば発電計画対応グループＧＰ１における再調整だけではなく、場合によっては、需要計画対応グループＧＰ２側の再調整も必要になる場合があり、制御が複雑になる。
【００５８】
そこで、本実施形態においては、発電計画対応グループＧＰ１及び需要計画対応グループＧＰ２に加えて、中間グループＧＰ３を設ける。中間グループＧＰ３には、上記のように発電装置１０３から出力される電力と総消費電力とが近い状態にあるような需要家施設１００を含める。
そのうえで、中間グループＧＰ３については、発電電力と需要電力との差分の絶対値を常にゼロとするように制御する。このためには、需要家施設１００において、発電装置１０３から出力される電力と、総消費電力とが等しくなるように制御すればよく、このような制御は容易である。
また、この場合の発電計画対応グループＧＰ１は、需要電力に対して発電電力の多いことが顕著な需要家施設１００の集合とすることができるため、発電計画対応グループＧＰ１の発電電力を発電計画と同等となるように制御することは容易となる。同様に、この場合の需要計画対応グループＧＰ２は、発電電力に対して需要電力の多いことが顕著な需要家施設１００の集合とすることができるため、需要計画対応グループＧＰ２の需要電力を需要計画と同量となるように制御することは容易となる。
即ち、本実施形態においては、中間グループＧＰ３を設けることにより、発電計画と需要計画とのそれぞれに対応する計画値同時同量制御を容易に実現することができる。
【００５９】
＜第２実施形態＞
続いて、第２実施形態について説明する。先の第１実施形態の場合、発電計画対応グループＧＰ１については、電力管理装置３００が、発電計画対応グループＧＰ１に属する需要家施設１００の電力状態を監視し、発電計画が達成されるように、発電計画対応グループＧＰ１における少なくとも一部の需要家施設１００の充放電動作を制御していた。同様に、需要計画対応グループＧＰ２については、電力管理装置３００が、需要計画対応グループＧＰ２に属する需要家施設１００の電力状態を監視し、需要計画が達成されるように、需要計画対応グループＧＰ２における少なくとも一部の需要家施設１００の充放電動作を制御していた。
【００６０】
これに対して、本実施形態においては、電力管理装置３００が、発電計画が達成されるように、発電計画対応グループＧＰ１に属する需要家施設１００のそれぞれに対して発電電力についての制御目標値を設定する。需要家施設１００における需要家施設内コントローラ２００は、指示された制御目標値に応じた発電電力となるように、蓄電池１０４の充放電動作を制御する。
【００６１】
同様に、電力管理装置３００は、需要計画が達成されるように、需要計画対応グループＧＰ２に属する需要家施設１００のそれぞれに対して需要電力についての制御目標値を設定する。需要家施設１００における需要家施設内コントローラ２００は、指示された制御目標値に応じた需要電力となるように、蓄電池１０４の充放電動作を制御する。
【００６２】
また、中間グループＧＰ３については、第１実施形態と同様に、例えば各需要家施設１００における需要家施設内コントローラ２００が、電力管理装置３００の指示に応じて発電電力と需要電力との差分がゼロとなるように蓄電池１０４の充放電動作を制御する。
【００６３】
本実施形態における電力管理装置３００が計画値同時同量制御にあたって実行する処理全体の流れとしては、図５と同様でよい。そのうえで、電力管理装置３００は、ステップＳ１０３の発電計画対応グループ対象電力制御として、以下の図７のフローチャートに示す処理を実行し、ステップＳ１０４の需要計画対応グループ対象電力制御として図８のフローチャートに示す処理を実行する。
【００６４】
まず、図７に示される発電計画対応グループ対象電力制御について説明する。電力制御部３２２は、ステップＳ１０１に対応して開始された現単位計画時間に対応する発電計画を記憶部３０３に記憶される発電計画情報３３１から取得する（ステップＳ３０１）。
また、電力制御部３２２は、発電計画対応グループＧＰ１に属する需要家施設１００ごとの現在に対応する実発電電力と実需要電力とを取得する（ステップＳ３０２）。
【００６５】
電力制御部３２２は、ステップＳ３０１により取得された発電計画と、ステップＳ３０２により取得された発電計画対応グループＧＰ１に属する需要家施設１００ごとの現在に対応する実発電電力と実需要電力とに基づき、需要家施設１００ごとの発電電力についての制御目標値を決定する（ステップＳ３０３）。
電力制御部３２２は、ステップＳ３０３により需要家施設１００ごとに決定された制御目標値を、それぞれ、対応の需要家施設１００に対して送信する（ステップＳ３０４）。
制御目標値の受信に応じて、発電計画対応グループＧＰ１に属する各需要家施設１００の需要家施設内コントローラ２００は、発電電力が制御目標値となるように蓄電池１０４の充放電制御を行う。この結果、電力管理エリア１０としての発電計画に対応する計画値同時同量制御が実行される。
【００６６】
なお、同図の処理は、単位計画時間ごとに対応して１回行われるものであってもよいし、単位計画時間をさらに区分した一定時間ごとに行われるものであってもよい。
なお、ステップＳ３０２においては、制御対象となる期間における発電電力と需要電力との予測値を取得し、ステップＳ３０３においては、予測値に基づいて制御目標値を決定するようにしてよい。
【００６７】
次に、図８に示される需要計画対応グループ対象電力制御について説明する。電力制御部３２２は、ステップＳ１０１に対応して開始された現単位計画時間に対応する需要計画を、記憶部３０３に記憶される需要計画情報３３２から取得する（ステップＳ４０１）。
また、電力制御部３２２は、需要計画対応グループＧＰ２に属する需要家施設１００ごとの現在に対応する実発電電力と実需要電力とを取得する（ステップＳ４０２）。
【００６８】
電力制御部３２２は、ステップＳ４０１により取得された需要計画と、ステップＳ４０２により取得された発電計画対応グループＧＰ１に属する需要家施設１００ごとの現在に対応する実発電電力と実需要電力とに基づき、需要家施設１００ごとの需要電力についての制御目標値を決定する（ステップＳ４０３）。
電力制御部３２２は、ステップＳ４０３により需要家施設１００ごとに決定された制御目標値を、それぞれ、対応の需要家施設１００に対して送信する（ステップＳ４０４）。
制御目標値の受信に応じて、需要計画対応グループＧＰ２に属する各需要家施設１００の需要家施設内コントローラ２００は、需要電力が制御目標値となるように蓄電池１０４の充放電制御を行う。この結果、電力管理エリア１０としての需要計画に対応する計画値同時同量制御が実行される。
【００６９】
なお、同図の処理についても、図７の処理と同様に、単位計画時間ごとに対応して１回行われるものであってもよいし、単位計画時間をさらに区分した一定時間ごとに行われるものであってもよい。
なお、電力制御部３２２は、ステップＳ４０２において、制御対象となる期間における発電電力と需要電力との予測値を取得し、ステップＳ４０３においては、予測値に基づいて制御目標値を決定するようにしてよい。
【００７０】
＜第３実施形態＞
続いて、第３実施形態について説明する。先の第１実施形態では、電力管理装置３００は、需要家施設１００ごとの発電電力と需要電力とに基づいて、需要家施設１００のグループ分類を行っていた。これに対して、本実施形態においては、需要家施設１００ごとにおける蓄電池１０４の残量（蓄積電力）に基づいて、グループ分類を行う。
【００７１】
本実施形態における電力管理装置３００が計画値同時同量制御にあたって実行する処理全体の流れとしては、図５と同様でよい。そのうえで、電力管理装置３００は、ステップＳ１０２の需要家施設分類処理として、以下の図９のフローチャートに示す処理を実行する。なお、以下の説明にあっては、説明を簡単で分かりやすくするため、需要家施設１００のそれぞれにおいて蓄電池１０４が備えられている場合を例に挙げる。
【００７２】
需要家施設分類部３２１は、電力管理エリア１０における需要家施設１００ごとにおける蓄電池１０４の残量を取得する（ステップＳ６０１）。この際、需要家施設分類部３２１は、各需要家施設１００の需要家施設内コントローラ２００に対して蓄電池残量の通知を要求する。需要家施設内コントローラ２００は、要求に応じて、蓄電池１０４の残量を示す情報を電力管理エリア１０に送信する。需要家施設分類部３２１は、このようにして各需要家施設１００の蓄電池１０４の残量を取得する。
【００７３】
そこで、需要家施設分類部３２１は、取得された残量に基づいて、以下の分類処理を実行する（ステップＳ６０２）。つまり、需要家施設分類部３２１は、電力管理エリア１０における需要家施設１００について、蓄電池１０４の残量が多いとされるものと、蓄電池１０４の残量が少ないとされるものと、蓄電池１０４の残量が、多くもなく少なくもない中間であるものとの３種類のうちのいずれか１つに該当させるように分類する。
需要家施設分類部３２１は、蓄電池１０４の残量が多いものとして分類された需要家施設１００を発電計画対応グループＧＰ１に属させる。実発電電力が発電計画に対して不足している際には蓄電池１０４から放電させることが必要となる場合があるが、蓄電池１０４の残量が多いほど、このような状況に対応させやすい。
また、需要家施設分類部３２１は、蓄電池１０４の残量が少ないものとして分類された需要家施設１００を需要計画対応グループＧＰ２に属させる。実需要電力が需要計画に対して不足している際には蓄電池１０４に充電させることが必要となる場合があるが、蓄電池１０４の残量が少ないほど、このような状況に対応させやすい。
また、需要家施設分類部３２１は、蓄電池１０４の残量が中間であるものとして分類された需要家施設１００を中間グループＧＰ３に属させる。
【００７４】
需要家施設分類部３２１が上記のように３つのグループのいずれか１つに需要家施設１００を分類するためのアルゴリズムとしては特に限定されない。例えば、需要家施設分類部３２１は、３つのグループごとに対応して設定された蓄電池の残量に対する閾値により分類してよい。あるいは、需要家施設分類部３２１は、機械学習を用いた分類のアルゴリズムにより分類を行ってもよい。
需要家施設分類部３２１は、ステップＳ６０２の分類処理により得られた分類結果を、需要家施設分類情報３３４を更新するようにして記憶させる（ステップＳ６０３）。
【００７５】
＜第４実施形態＞
続いて、第４実施形態について説明する。本実施形態の電力管理装置３００は、電力管理エリア１０内の需要家施設１００を、以下のようにグループ分類を行う。
まず、本実施形態においては、発電計画対応グループＧＰ１、需要計画対応グループＧＰ２、及び中間グループＧＰ３のそれぞれにおいて、さらに細分化されたグループを設定する。
【００７６】
図１０は、本実施形態におけるグループ設定の態様例を示している。実施形態の電力管理装置３００の需要家施設分類部３２１は、まず、第１実施形態と同様に、需要家施設１００ごとの発電電力と需要電力とに基づいて、需要家施設１００を、発電計画対応グループＧＰ１、需要計画対応グループＧＰ２、及び中間グループＧＰ３のうちのいずれかに属するように分類する。
【００７７】
そのうえで、需要家施設分類部３２１は、需要家施設１００ごとの蓄電池１０４の残量を取得する。需要家施設分類部３２１は、取得した需要家施設１００ごとの蓄電池１０４の残量に基づいて、以下のように発電計画対応グループＧＰ１、需要計画対応グループＧＰ２、及び中間グループＧＰ３ごとにおいてさらに細分化したグループに分類する。
【００７８】
つまり、需要家施設分類部３２１は、発電計画対応グループＧＰ１に属する需要家施設１００について、蓄電池１０４の残量が多い第１発電計画対応サブグループＧＰ１−１と、蓄電池１０４の残量が少ない第２発電計画対応サブグループＧＰ１−２とに分類する。
また、需要家施設分類部３２１は、需要計画対応グループＧＰ２に属する需要家施設１００について、蓄電池１０４の残量が多い第１需要計画対応サブグループＧＰ２−１と、蓄電池１０４の残量が少ない第２需要計画対応サブグループＧＰ２−２とに分類する。
また、需要家施設分類部３２１は、中間グループＧＰ３に属する需要家施設１００について、蓄電池１０４の残量が多い第１中間サブグループＧＰ３−１と、蓄電池１０４の残量が少ない第２中間サブグループＧＰ３−２とに分類する。
【００７９】
本実施形態における電力制御部３２２は、発電計画対応グループＧＰ１に対応して、例えば第１発電計画対応サブグループＧＰ１−１と第２発電計画対応サブグループＧＰ１−２とについて、それぞれに対応するアルゴリズムによって需要家施設１００ごとの制御目標値を設定し、電力制御を行ってよい。
同様に、電力制御部３２２は、需要計画対応グループＧＰ２に対応して、例えば第１需要計画対応サブグループＧＰ２−１と第２需要計画対応サブグループＧＰ２−２とについて、それぞれに対応するアルゴリズムによって需要家施設１００ごとの制御目標値を設定し、電力制御を行ってよい。
同様に、電力制御部３２２は、中間グループＧＰ３に対応して、例えば第１中間サブグループＧＰ３−１と第２中間サブグループＧＰ３−２とについて、それぞれに対応するアルゴリズムによって需要家施設１００ごとの制御目標値を設定し、電力制御を行ってよい。
【００８０】
なお、上記実施形態においては、例えば１つのＴＥＭＳあるいはＣＥＭＳに含まれる全ての需要家施設を対象として、１つの電力管理装置３００が電力管理を行う構成とされていた。しかしながら、各グループにおいて、上記実施形態の電力管理装置３００と同等の機能を或る１つの需要家施設の需要家施設内コントローラ２００に与える。そして、需要家施設内コントローラ２００が、グループ内において、ステップＳ１０３、Ｓ１０４、Ｓ１０５のうち自グループに対応するステップによる電力制御を行うようにしてよい。
【００８１】
なお、電力管理エリア１０において需要家施設１００間で共用の発電設備が備えられるような場合には、発電設備を発電計画対応グループＧＰ１に含めたうえで電力制御を行ってもよい。
【００８２】
なお、電力の固定価格買い取り制度（FIT:Feed-In Tariff）が知られている。ＦＩＴによる契約のもとでは、発電装置１０３の発電中に逆潮流できるようにすると電力の買い取り価格が下がる。そこで、発電計画対応グループＧＰ１においてＦＩＴ契約の需要家施設１００が含まれている場合、ＦＩＴ契約の需要家施設１００については、蓄電池１０４の充放電による制御を行わず、発電装置１０３により出力される電力を最大とするようにして対応してもよい。
【００８３】
なお、上記実施形態においては、発電装置１０３が太陽電池を備えるものである場合を例に挙げている。しかし、例えば発電装置１０３は、風力発電、地熱発電など、再生可能エネルギを利用して発電を行う発電装置とされてもよい。
【００８４】
＜第５実施形態＞
続いて、第５実施形態について説明する。上述した実施形態において、電力管理装置３００の需要家施設分類部３２１は、需要家施設が複数グループ（例えば、第１需要家施設グループ（発電計画対応グループＧＰ１）、第２需要家施設グループ（需要計画対応グループＧＰ２）、第３需要家施設グループ（中間グループＧＰ３））のうちいずれに属するかの分類を、一定時間ごとに行なうことができる場合について説明した。例えば、一定時間（単位計画時間；３０分）毎に分類を行なうことで、時間の経過に伴う電力の使用状況（需要）の変化、蓄電池の残量の変化、発電量の変化等に応じて、各需要家施設に対して再度分類を行なうことができる。この実施形態においては、需要家施設分類部３２１が一定時間毎に分類を行なうにあたり、前回分類されたグループの一部の需要家施設を異なるグループに再分類する場合について説明する。また、この実施形態においては、上述の実施形態と共通の部分については説明を省略し、機能や動作の異なる部分について説明する。
【００８５】
再度分類を行なう場合、需要家施設分類部３２１は、第１需要家施設グループに割り当てられた発電計画の計画値に対して当該第１需要家施設グループの発電量の実績値が達していない場合における当該計画値と当該実績値との乖離、または、第２需要家施設グループに割り当てられた需要計画の計画値に対して当該第２需要家施設グループの需要量の実績値が達していない場合における当該計画値と当該実績値との乖離が生じた場合、当該乖離が生じているグループとは異なるグループに属するいずれかの需要家施設を乖離が生じているグループに属するように再分類する。
【００８６】
また、需要家施設分類部３２１は、再分類を行なう場合、当該乖離が生じているグループとは異なるグループに属するいずれかの需要家施設のうち、当該グループに割り当てられた発電または電力需要の度合が小さい需要家施設から順に再分類をする。
【００８７】
また、需要家施設分類部３２１は、再分類を行なう場合、当該乖離が生じているグループとは異なるグループに属するいずれかの需要家施設のうち、当該需要家施設における蓄電池の能力と当該需要家施設の発電電力または需要電力との関係に応じた順に従って需要家施設を再分類する。
【００８８】
また、需要家施設分類部３２１は、複数の需要家施設について、前記第１需要家施設グループと、前記第２需要家施設グループと、順潮流と逆潮流との電力の差分が一定以下となるように前記電力制御部によって制御される対象である第３需要家施設グループとのうちのいずれか一つに属するように分類を行い、再分類を行なう場合、第３需要家施設グループに属するいずれかの需要家施設を乖離の度合が所定の基準を超えた需要家施設と同じグループに属するように分類する。
【００８９】
次に、図１１のフローチャートを用いて第５実施形態における電力管理装置の処理手順例について説明する。
この図において、ステップＳ１０１と、ステップＳ１０３からステップＳ１０６までは、図５に示すフローチャートと同じであるが、ステップＳ１０２における処理の内容が一部異なり、また、ステップＳ１５０を有する点において、図５のフローチャートとは異なる。
ステップＳ１０１において、需要家施設分類部３２１は、調整開始時刻が到来していなければ、一定時間であるウエイト時間の経過後、調整開始時刻が到来したかを再度判定し（ステップＳ１０１−ＮＯ）、調整開始時刻に至ると（ステップＳ１０１−ＹＥＳ）、需要家施設分類部３２１は、需要家施設分類処理を実行する（ステップＳ１０２Ａ）。このステップにおける需要家施設分類処理は、図５に示すフローチャートと同様に、図６のフローチャートのステップＳ２０１からステップＳ２０３に沿って実行されるが、この実施形態において、再分類を行なう場合には、ステップＳ２０２における分類処理の内容が一部異なる。
【００９０】
図１２は、図６のステップＳ２０２において再分類を行なう場合の電力管理装置の動作を説明するフローチャートである。ステップ再分類を行なう場合、需要家施設分類部３２１は、第１需要家施設グループに割り当てられた発電計画の計画値に対して当該第１需要家施設グループの発電量の実績値が未達であるか否かを判定する（ステップＳ２０２１）。第１需要家施設グループに割り当てられた発電計画の計画値に対して当該第１需要家施設グループの発電量の実績値が未達である場合（ステップＳ２０２１−ＹＥＳ）、すなわち、第１需要家施設グループに割り当てられた発電計画の計画値に対して当該第１需要家施設グループの発電量の実績値が到達できていない場合、需要家施設分類部３２１は、第２需要家施設グループの需要電力の実績値が、需要電力の需要計画の計画値に対して未達であるか否かを判定する（ステップＳ２０２２）。第２需要家施設グループの需要電力の実績値が、需要電力の需要計画の計画値に対して未達である場合、すなわち、第２需要家施設グループに割り当てられた需要計画の計画値に対して当該第２需要家施設グループの需要電力の実績値が到達できていない場合、需要家施設分類部３２１は、第１需要家施設グループと第２需要家施設グループとの両方について再分類を行なう（ステップＳ２０２３）。第１需要家施設グループと第２需要家施設グループのそれぞれの実績値がいずれも計画値に達していなければ、いずれのグループについて計画が達成できないため、両グループを対象にして再分類を行なうことで、両グループについて計画を達成できること目的とした分類を行なうことができる。
【００９１】
一方、ステップＳ２０２２において、第２需要家施設グループの実績値が計画値に対して未達ではない場合（ステップＳ２０２２）、すなわち、実績値が計画値を達成できている場合には、需要家施設分類部３２１は、第２需要家施設グループの一部の需要家施設を第１需要家施設グループに属するように分類をする（ステップＳ２０２４）。第２需要家施設グループは、計画値を達成できているため、需要電力に余力があるとみなすことができ、第２需要家施設グループの一部の需要家施設を第１需要家施設グループに属するようにしたとしても、第２需要家施設グループの計画値の達成に影響が少ないと考えられる。そのため、第２需要家施設グループの一部の需要家施設を第１需要家施設グループに属するように分類することで、第１需要家施設グループにおける電力を発電する需要家施設を増やすことができる。これにより、第１需要家施設グループに割り当てられた発電計画の計画値に対して当該第１需要家施設グループの発電量の実績値が達していない場合における当該計画値と当該実績値との乖離を低減させることができ、第１需要家施設の計画値を達成するようにすることができる。
ここで、需要家施設分類部３２１は、第２需要家施設グループに属するいずれかの需要家施設のうち、需要電力の度合（例えば需要電力（ｋＷ）の大きさ、または需要電力の電力量（ｋＷｈ）の大きさ）が小さい需要家施設から順に再分類をするようにしてもよい。例えば、第２需要家施設グループの需要家施設のうち、需要電力の実績値が最も小さい需要家施設を第１需要家施設グループに属するように分類してもよいし、需要電力の実績値が最も小さい需要家施設から順に複数（例えば予め決められた数）の需要家施設を第１需要家施設グループに属するように分類してもよい。
このように、需要電力の実績値が小さい需要家施設から順に第１需要家施設グループに属するように分類することで、需要家施設群の全体において、影響（特に第２需要家施設グループにおける計画値が未達になってしまう影響）を少なくした再分類を行なうことができる。
また、需要家施設分類部３２１は、需要電力の度合ではなく、第２需要家施設グループに属する需要家施設における蓄電池の能力と当該需要家施設の需要電力との関係に応じた順に従って再分類を行なうようにしてもよい。
例えば、需要家施設分類部３２１は、蓄電池の残量と需要電力との差が大きい需要家施設ほど優先的に第１需要家施設グループに属するように再分類することができる。このような場合、下記の（Ａ）から（Ｄ）に示す第２需要家施設グループに属する需要家施設のうち、（Ａ）を最も優先順位を高くし、（Ａ）、（Ｂ）、（Ｃ）、（Ｄ）の順に従って、需要家施設を再分類する。
（Ａ）需要電力が小さく、蓄電池残量が多い需要家施設
需要電力が第２需要家施設グループにおける他の需要家施設よりも小さい部類であり、充電による需要増にも対応しにくいので、優先的に、第１需要家施設グループへ分類可能
（Ｂ）需要電力が小さく、蓄電池残量が少ない需要家施設
需要電力が第２需要家施設グループにおける他の需要家施設よりも小さい部類であり、必要に応じて充電することで需要を増やす余地はあるので、差の大きさによっては第１需要家施設グループへ分類可能
（Ｃ）需要電力が大きく、蓄電池残量が多い需要家施設
需要電力が第２需要家施設グループにおける他の需要家施設よりも大きい部類であり、なるべく第２需要家施設グループに残しつつ、場合によっては第１需要家施設グループへ分類可能
（Ｄ）需要電力が大きく、蓄電池残量が少ない需要家施設
需要電力が第２需要家施設グループにおける他の需要家施設よりも大きい部類であり、必要に応じて充電することで更に需要を増やすことができるので、なるべく第２需要家施設グループのままとする
【００９２】
一方、ステップＳ２０２１において、第１需要家施設グループに割り当てられた発電計画の計画値に対して当該第１需要家施設グループの発電量の実績値が未達ではない場合（ステップＳ２０２１−ＮＯ）、すなわち、第１需要家施設グループに割り当てられた発電計画の計画値に対して当該第１需要家施設グループの発電量の実績値が到達できている場合、需要家施設分類部３２１は、第２需要家施設グループの需要電力の実績値が、需要電力の需要計画の計画値に対して未達であるか否かを判定する（ステップＳ２０２５）。
【００９３】
第２需要家施設グループの需要電力の実績値が、需要電力の需要計画の計画値に対して未達である場合（ステップＳ２０２５−ＹＥＳ）、すなわち、第２需要家施設グループに割り当てられた需要計画の計画値に対して当該第２需要家施設グループの需要電力の実績値が到達できていない場合、需要家施設分類部３２１は、第１需要家施設グループの一部の需要家施設を第２需要家施設グループに属するように分類をする（ステップＳ２０２６）。第１需要家施設グループは、計画値を達成できているため、発電電力に余力があるとみなすことができ、第１需要家施設グループの一部の需要家施設を第２需要家施設グループに属するようにしたとしても、第１需要家施設グループの計画値の達成に影響が少ないと考えられる。そのため、第１需要家施設グループの一部の需要家施設を第２需要家施設グループに属するように分類することで、第２需要家施設グループにおける電力の需要を増やすことができ、第２需要家施設の計画値を達成するようにすることができる。
ここで、需要家施設分類部３２１は、第１需要家施設グループに属するいずれかの需要家施設のうち、発電電力の度合（例えば発電電力（ｋＷ）の大きさ、または発電電力の電力量（ｋＷｈ）の大きさ）が小さい需要家施設から順に再分類をするようにしてもよい。例えば、第１需要家施設グループの需要家施設のうち、発電電力の実績値が最も小さい需要家施設を第２需要家施設グループに属するように分類してもよいし、発電電力の実績値が最も小さい需要家施設から順に複数（例えば予め決められた数）の需要家施設を第２需要家施設グループに属するように分類してもよい。
このように、発電電力の実績値が小さい需要家施設から順に第２需要家施設グループに属するように分類することで、需要家施設群の全体において、影響（特に第１需要家施設グループにおける計画値が未達になってしまう影響）を少なくした再分類を行なうことができる。
また、需要家施設分類部３２１は、需要電力の度合ではなく、第１需要家施設グループに属する需要家施設における蓄電池の能力と当該需要家施設の発電電力との関係に応じた順に従って再分類を行なうようにしてもよい。
例えば、需要家施設分類部３２１は、蓄電池の充電可能な量と発電電力との差が大きい需要家施設ほど優先的に第２需要家施設グループに属するように再分類することができる。このような場合、下記の（ａ）から（ｄ）に示す第１需要家施設グループに属する需要家施設のうち、（ａ）を最も優先順位を高くし、（ａ）、（ｂ）、（ｃ）、（ｄ）の順に従って、需要家施設を再分類する。
（ａ）発電電力が小さく、蓄電池の充電可能量が大きい（残容量が少ない）需要家施設
発電電力が第１需要家施設グループにおける他の需要家施設よりも小さい部類であり、放電による発電増にも対応しにくいので、優先的に、第２需要家施設グループへ分類可能
（ｂ）発電電力が小さく、蓄電池の充電可能量が小さい（残容量が多い）需要家施設
発電電力が第１需要家施設グループにおける他の需要家施設よりも小さい部類であり、必要に応じて放電することで発電に寄与できる余地はあるので、差の大きさによっては第２需要家施設グループへ分類可能
（ｃ）発電電力が大きく、蓄電池の充電可能量が多い（残容量が少ない）需要家施設
発電電力が第１需要家施設グループにおける他の需要家施設よりも大きい部類であり、なるべく第１需要家施設グループに残しつつ、場合によっては第２需要家施設グループへ分類可能
（ｄ）発電電力が大きく、蓄電池の充電可能量が少ない（残容量が多い）需要家施設
発電電力が第１需要家施設グループにおける他の需要家施設よりも大きい部類であり、必要に応じて放電することでさらに発電量を増やすことができるので、なるべく第１需要家施設グループのままとする
【００９４】
一方、需要家施設分類部３２１は、第２需要家施設グループの需要電力の実績値が、需要電力の需要計画の計画値に対して未達ではない場合（ステップＳ２０２５−ＮＯ）、すなわち、第２需要家施設グループに割り当てられた需要計画の計画値に対して当該第２需要家施設グループの需要電力の実績値が到達できている場合、需要家施設分類部３２１は、第１需要家施設グループと第２需要家施設グループとの両方が計画値を達成できているため、再分類は行なわない。ただし、需要家施設分類部３２１は、第１需要家施設グループにおける計画値と実績値との差が所定の基準値を超えている場合には、第１需要家施設グループの一部の需要家施設を第２需要家施設グループに所属するように分類するようにしてもよい。これにより、第１需要家施設グループにおける計画値と実績値の差を少なくするようにすることができる。また、需要家施設分類部３２１は、第２需要家施設グループにおける計画値と実績値との差が所定の基準値を超えている場合には、第２需要家施設グループの一部の需要家施設を第１需要家施設グループに所属するように分類するようにしてもよい。これにより、第２需要家施設グループにおける計画値と実績値の差を少なくするようにすることができる。
【００９５】
図１１に戻り、ステップＳ１０６において、単位計画時間が終了した場合には（ステップＳ１０６−ＹＥＳ）、電力制御を終了するか否かの判定をし（ステップＳ１５０）、電力制御を終了しない場合（ステップＳ１５０−ＮＯ）、ステップＳ１０１に移行して、調整開始時刻に至ったか否かの判定をし（ステップＳ１０１）、電力制御を終了する場合には（ステップＳ１５０−ＹＥＳ）、処理を終了する。
【００９６】
以上説明した第５実施形態において、再分類を行なう場合、第３需要家施設グループに属するいずれかの需要家施設を、第１需要家施設グループまたは第２需要家施設グループへ再分類するようにしてもよい。例えば、発電計画における計画値に対して発電電力の実績値が未達となっている場合には、第３需要家施設グループに属するいずれかの需要家施設を第１需要家施設グループに属するように再分類してもよい。また、需要計画における計画値に対して需要電力の実績値が未達となっている場合には、第３需要家施設グループに属するいずれかの需要家施設を第２需要家施設グループに属するように再分類してもよい。このように第３需要家施設グループの需要家施設を第１需要家施設グループまたは第２需要家施設グループに属するように再分類する場合、第３需要家施設グループは、第１需要家施設グループ及び第２需要家施設グループのいずれにも属していないため、需要家施設全体として計画から実績が乖離するような影響を低減させつつ、再分類することができる。
【００９７】
なお、上述した第５実施形態において、再分類を行なう場合、需要家施設分類部３２１は、太陽光発電予測を行なった予測結果や、電力の需要予測を行なった予測結果も含めて再分類を行なうようにしてもよい。この場合、例えば、上述の（Ｂ）の需要家施設において需要電力が増大し、（Ｃ）に示す需要家施設において需要電力が減少すると予測される場合には、（Ｂ）と（Ｃ）の優先順位を入れかえてもよい。また、例えば、上述の（ｂ）の需要家施設において発電電力が増大し、（ｃ）に示す需要家施設において発電電力が減少すると予測される場合には、（ｂ）と（ｃ）の優先順位を入れかえてもよい。
【００９８】
なお、上述の電力管理装置３００、需要家施設内コントローラ２００などとしての機能を実現するためのプログラムをコンピュータ読み取り可能な記録媒体に記録して、この記録媒体に記録されたプログラムをコンピュータシステムに読み込ませ、実行することにより上述の電力管理装置３００、需要家施設内コントローラ２００などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００９９】
１０  電力管理エリア、１００  需要家施設、１０１  電力メータ、１０２  分電盤、１
０３  発電装置、１０４  蓄電池、１０５  負荷、１０６  通信モデム、２００  需要家
施設内コントローラ、２０１  外部通信インターフェース、２０２  外部対応送受信部、
２０３  施設内通信インターフェース、２０４  施設内対応送受信部、２０５  電力収集
部、２０６  制御部、２０７  記憶部、３００  電力管理装置、３０１  通信部、３０２
制御部、３０３  記憶部、３２１  需要家施設分類部、３２２  電力制御部、３３１  
発電計画情報、３３２  需要計画情報、３３３  需要家施設基本情報、３３４  需要家施
設分類情報
【図１】
0006989364.tif 000002
【図２】
0006989364.tif 000003
【図３】
0006989364.tif 000004
【図４】
0006989364.tif 000005
【図５】
0006989364.tif 000006
【図６】
0006989364.tif 000007
【図７】
0006989364.tif 000008
【図８】
0006989364.tif 000009
【図９】
0006989364.tif 000010
【図１０】
0006989364.tif 000011
【図１１】
0006989364.tif 000012
【図１２】
0006989364.tif 000013